(57)【要約】【課題】ユーザが入力した情報を入力後に容易に参照することが可能な画像表示装置、画像表示装置における画面表示方法及び画面表示プログラムを提供すること【解決手段】本発明にかかる画像表示装置は、入力情報記憶部、管理情報記憶部及び制御部を備える。入力情報記憶部は、タッチパネルにより入力された情報を頁単位で記憶する。管理情報記憶部は、ユーザに対して提供するデータとして頁単位で予め作成された提供情報の頁を識別する第１の頁識別情報と、入力情報記憶部に記憶した入力情報の頁を識別する第２の頁識別情報とを関連付けて記憶する。制御部は、前記提供情報、前記ユーザが入力した情報を異なる表示領域に表示させるとともに、管理情報記憶部に、表示された各頁について、第１の頁識別情報と第２の頁識別情報とを関連付けて記憶させる。【選択図】図３
2014157538.tif 000002
【特許請求の範囲】
【請求項１】
タッチパネルの画面上に第１の表示領域と第２の表示領域とを表示させる画像表示装置であって、
ユーザによって前記タッチパネルにより入力された情報を頁単位で記憶する入力情報記憶部と、
ユーザに対して提供するデータとして頁単位で予め作成された提供情報を前記第１の表示領域に表示させ、かつ前記ユーザにおいて入力された情報を前記第２の表示領域に表示させ、その入力された情報を前記入力情報記憶部に記憶させる制御部と、
前記提供情報の頁を識別する第１の頁識別情報と、前記入力情報記憶部に記憶された入力情報の頁を識別する第２の頁識別情報とを関連付けて記憶する管理情報記憶部と、を備え、
前記制御部は、前記タッチパネルに表示された各頁について、前記第１の頁識別情報と前記第２の頁識別情報とを前記管理情報記憶部に関連付けて記憶させる、
画像表示装置。
【請求項２】
前記管理情報記憶部は、前記第１の頁識別情報と前記第２の頁識別情報とを対応付けたテーブルを有する、
請求項１に記載の画像表示装置。
【請求項３】
前記制御部は、前記提供情報を前記第１の表示領域に表示する処理を終了したときか、又は前記入力情報を前記第２の表示領域に表示する処理を終了したときの少なくともいずれかにおいて、前記タッチパネルに表示された各頁について、前記第１の頁識別情報と前記第２の頁識別情報とを前記管理情報記憶部に関連付けて記憶させる、
請求項１又は２に記載の画像表示装置。
【請求項４】
前記制御部は、前記タッチパネルに表示された各頁について、前記第１の頁識別情報と関連付けて複数の前記第２の頁識別情報を前記管理情報記憶部に記憶させる、
請求項１ないし３のいずれか一項に記載の画像表示装置。
【請求項５】
前記制御部は、前記管理情報記憶部において、前記第１の頁識別情報に対して複数の前記第２の頁識別情報が関連付けられて記憶されている場合に、前記第１の頁識別情報にかかる提供情報の頁を前記第１の表示領域に表示したときに、複数の前記第２の頁識別情報にかかる入力情報の頁のうち２以上の頁を前記第２の表示領域に表示させる、
請求項４に記載の画像表示装置。
【請求項６】
前記制御部は、前記第１の表示領域に表示させる提供情報の頁を変更したことをトリガとして、前記第２の表示領域に表示させる入力情報の頁を変更させる、
請求項１ないし５のいずれか一項に記載の画像表示装置。
【請求項７】
前記制御部は、前記タッチパネルに表示された各頁について、第１の表示領域に表示された提供情報の少なくとも一部と、当該提供情報と同じタイミングで第２の表示領域に表示された入力情報とにおいて、情報の内容が一致しているか否かを判定し、不一致である場合には表示、音声、及び振動の少なくとも１つにより通知する、
請求項１ないし６のいずれか一項に記載の画像表示装置。
【請求項８】
タッチパネルの画面上に第１の表示領域と第２の表示領域とを表示させる画像表示装置であって、
ユーザによって前記タッチパネルの前記第１の表示領域を介して入力された情報を頁単位で記憶する第１の入力情報記憶部と、
前記ユーザによって前記タッチパネルの前記第２の表示領域を介して入力された情報を頁単位で記憶する第２の入力情報記憶部と、
ユーザに対して提供するデータとして頁単位で予め作成された提供情報を前記第１の表示領域に表示させ、かつ前記ユーザにおいて前記第１の表示領域を介して入力された情報を前記第１の表示領域に表示させ、その入力された情報を前記第１の入力情報記憶部に記憶させるとともに、前記ユーザにおいて前記第２の表示領域を介して入力された情報を前記第２の表示領域に表示させ、その入力された情報を前記第２の入力情報記憶部に記憶させる制御部と、
前記提供情報の頁を識別する第１の頁識別情報と、前記第２の入力情報記憶部に記憶された入力情報の頁を識別する第２の頁識別情報とを関連付けて記憶する管理情報記憶部と、を備え、
前記第１の入力情報記憶部は、前記第１の表示領域を介して入力された情報を、入力時に前記第１の表示領域に表示された前記提供情報の頁単位で記憶し、
前記制御部は、前記タッチパネルに表示された各頁について、前記第１の頁識別情報と前記第２の頁識別情報とを前記管理情報記憶部に関連付けて記憶させる、
画像表示装置。
【請求項９】
前記制御部は、前記第１又は第２の一方の表示領域を介して情報が入力された後から所定の時間内に、他方の表示領域を介して情報が入力された場合、入力された情報同士を関連付けた上で、それぞれの情報を第１の入力情報記憶部と第２の入力情報記憶部に記憶させる、
請求項８に記載の画像表示装置。
【請求項１０】
前記制御部は、前記第１の表示領域を介して入力された情報の表示と、前記第２の表示領域を介して入力された情報の表示とで、異なる方法で表示を実行する、
請求項８又は９に記載の画像表示装置。
【請求項１１】
画像表示装置のタッチパネルの画面上に第１の表示領域と第２の表示領域とを表示させる画像表示方法であって、
ユーザに対して提供するデータとして頁単位で予め作成された提供情報を前記第１の表示領域に表示するステップと、
前記ユーザにおいて前記タッチパネルにより入力された情報を前記第２の表示領域に表示させるステップと、
前記ユーザによって入力された情報を頁単位で記憶するステップと、
表示された各頁について、前記提供情報の頁を識別する第１の頁識別情報と、記憶された入力情報の頁を識別する第２の頁識別情報とを関連付けて記憶するステップとを備える、
画像表示方法。
【請求項１２】
画像表示装置のタッチパネルの画面上に第１の表示領域と第２の表示領域とを表示させる画像表示装置の画像表示プログラムであって、
ユーザに対して提供するデータとして頁単位で予め作成された提供情報を前記第１の表示領域に表示するステップと、
前記ユーザにおいて前記タッチパネルにより入力された情報を前記第２の表示領域に表示させるステップと、
前記ユーザによって入力された情報を頁単位で記憶するステップと、
表示された各頁について、前記提供情報の頁を識別する第１の頁識別情報と、記憶された入力情報の頁を識別する第２の頁識別情報とを関連付けて記憶するステップと、
を画像表示装置に行わせるための画像表示プログラム。
【発明の詳細な説明】
【技術分野】
【０００１】
本発明は、画像表示装置、画像表示装置における画面表示方法及び画面表示プログラムに関する。
【背景技術】
【０００２】
電子書籍を仮想的な本として読むことが可能なタブレット端末が広まっている。
【０００３】
例えば、特許文献１では、１又は２頁をタッチディスプレイに表示することが可能な電子書籍デバイスが開示されている。この電子書籍デバイスは、２つの画面に仮想的な本の右頁と左頁とをそれぞれ表示できる電子書籍デバイスであり、片方の画面に表示された頁を仮想的にめくることによって、仮想的な本における次の頁を２つの画面に表示させることができる。
【先行技術文献】
【特許文献】
【０００４】
【特許文献１】特表２０１２−５１４８１１号公報
【発明の概要】
【発明が解決しようとする課題】
【０００５】
ところで、タッチパネルを備えるタブレット端末においては、ユーザが手書きによってタッチパネルに情報を入力することができる。例えばユーザは、タブレット端末に表示されたテキストを見ながら、同じタブレット端末に表示された入力領域に、そのテキストに関連したノートを手書きで入力することが考えられる。そのような場合に、表示されたテキストとユーザが入力したノートとはタブレット端末内で独立に記憶されているため、ユーザは以前入力したノートを見返すような場合に、ノートがテキストのどの頁に対応しているかが不明となる場合があった。
【０００６】
特許文献１に開示された技術は、１つの画面に仮想的な本の右頁と左頁とをそれぞれ表示する技術であり、上述の課題を解決することはできない。
【０００７】
本発明は、このような問題点を解決するためになされたものであり、ユーザが入力した情報を入力後に容易に参照することが可能な画像表示装置、画像表示装置における画面表示方法及び画面表示プログラムを提供することを目的とする。
【課題を解決するための手段】
【０００８】
本発明の第１の態様は、タッチパネルの画面上に第１の表示領域と第２の表示領域とを表示させる画像表示装置を含む。画像表示装置は、入力情報記憶部、管理情報記憶部及び制御部を備える。入力情報記憶部は、ユーザによってタッチパネルにより入力された情報を頁単位で記憶する。制御部は、ユーザに対して提供するデータとして頁単位で予め作成された提供情報を第１の表示領域に表示させ、かつユーザにおいて入力された情報を第２の表示領域に表示させ、その入力された情報を入力情報記憶部に記憶させる。管理情報記憶部は、提供情報の頁を識別する第１の頁識別情報と、入力情報記憶部に記憶された入力情報の頁を識別する第２の頁識別情報とを関連付けて記憶する。ここで制御部は、タッチパネルに表示された各頁について、第１の頁識別情報と第２の頁識別情報とを管理情報記憶部に関連付けて記憶させる。
【０００９】
本発明の第２の態様は、タッチパネルの画面上に第１の表示領域と第２の表示領域とを表示させる画像表示装置を含む。画像表示装置は、第１の入力情報記憶部、第２の入力情報記憶部、制御部及び管理情報記憶部を備える。第１の入力情報記憶部は、ユーザによってタッチパネルの第１の表示領域を介して入力された情報を頁単位で記憶する。第２の入力情報記憶部は、ユーザによってタッチパネルの第２の表示領域を介して入力された情報を頁単位で記憶する。制御部は、ユーザに対して提供するデータとして頁単位で予め作成された提供情報を第１の表示領域に表示させ、かつユーザにおいて第１の表示領域を介して入力された情報を第１の表示領域に表示させ、その入力された情報を第１の入力情報記憶部に記憶させる。さらに制御部は、ユーザにおいて第２の表示領域を介して入力された情報を第２の表示領域に表示させ、その入力された情報を第２の入力情報記憶部に記憶させる。管理情報記憶部は、提供情報の頁を識別する第１の頁識別情報と、第２の入力情報記憶部に記憶された入力情報の頁を識別する第２の頁識別情報とを関連付けて記憶する。ここで第１の入力情報記憶部は、第１の表示領域を介して入力された情報を、入力時に第１の表示領域に表示された提供情報の頁単位で記憶する。そして制御部は、タッチパネルに表示された各頁について、第１の頁識別情報と第２の頁識別情報とを管理情報記憶部に関連付けて記憶させる。
【００１０】
本発明の第３の態様は、画像表示装置のタッチパネルの画面上に第１の表示領域と第２の表示領域とを表示させる画像表示方法を含む。画像表示方法は、ユーザに対して提供するデータとして頁単位で予め作成された提供情報を第１の表示領域に表示するステップと、ユーザにおいてタッチパネルにより入力された情報を第２の表示領域に表示させるステップと、ユーザによって入力された情報を頁単位で記憶するステップと、表示された各頁について、提供情報の頁を識別する第１の頁識別情報と、記憶された入力情報の頁を識別する第２の頁識別情報とを関連付けて記憶するステップとを備える。
【００１１】
本発明の第４の態様は、画像表示装置のタッチパネルの画面上に第１の表示領域と第２の表示領域とを表示させる画像表示装置の画像表示プログラムを含む。この画像表示プログラムは、ユーザに対して提供するデータとして頁単位で予め作成された提供情報を前記第１の表示領域に表示するステップと、ユーザにおいてタッチパネルにより入力された情報を第２の表示領域に表示させるステップと、ユーザによって入力された情報を頁単位で記憶するステップと、表示された各頁について、提供情報の頁を識別する第１の頁識別情報と、記憶された入力情報の頁を識別する第２の頁識別情報とを関連付けて記憶するステップと、を画像表示装置に実行させる。
【発明の効果】
【００１２】
本発明により、ユーザが入力した情報を入力後に容易に参照することが可能な画像表示装置、画像表示装置における画面表示方法及び画面表示プログラムを提供することができる。
【図面の簡単な説明】
【００１３】
【図１】実施の形態１にかかる画像表示装置の外観の一例を示した全体図である。
【図２】実施の形態１にかかる画像表示装置の構成例を示したブロック図である。
【図３】実施の形態１にかかる画像表示装置の処理の一例を示したフローチャートである。
【図４】実施の形態２にかかるタブレット端末の外観の一例を示した全体図である。
【図５】実施の形態２にかかる画像表示装置の第１の構成例を示したブロック図である。
【図６Ａ】実施の形態２において、ユーザがタブレット端末を使用中に、ノートの頁を更新したときのタブレット端末の画面表示例を示す第１のイメージ図である。
【図６Ｂ】実施の形態２において、ユーザがタブレット端末を使用中に、ノートの頁を更新したときのタブレット端末の画面表示例を示す第２のイメージ図である。
【図７Ａ】実施の形態２において、ユーザがタブレット端末を使用中に、テキストの頁を更新したときのタブレット端末の画面表示例を示す第１のイメージ図である。
【図７Ｂ】実施の形態２において、ユーザがタブレット端末を使用中に、テキストの頁を更新したときのタブレット端末の画面表示例を示す第２のイメージ図である。
【図８】実施の形態２において、ユーザがテキストを見ながらノートに書き込みをする場合に、タブレット端末の制御部が実行する処理の一例を示したフローチャートである。
【図９Ａ】実施の形態２において、タブレット端末の画面における表示領域の配置例を示した第１の図である。
【図９Ｂ】実施の形態２において、タブレット端末の画面における表示領域の配置例を示した第２の図である。
【図１０】実施の形態２において、テーブル格納部内のテーブルに格納されたテキスト頁とノート頁とのリンクの一例である。
【図１１】実施の形態２において、テキストの頁が表示領域に表示された場合のタブレット端末の画面表示の例を示した図である。
【図１２Ａ】実施の形態２において、テキストの頁が表示領域に表示された場合のタブレット端末の画面表示の第１の例を示した図である。
【図１２Ｂ】実施の形態２において、テキストの頁が表示領域に表示された場合のタブレット端末の画面表示の第２の例を示した図である。
【図１３】実施の形態３にかかるタブレット端末の構成例を示したブロック図である。
【図１４】実施の形態４にかかるタブレット端末の構成例を示したブロック図である。
【図１５Ａ】実施の形態２において、テキスト又はノートのいずれか一方のみを表示した場合の、タブレット端末表示の一例を示した第１のイメージ図である。
【図１５Ｂ】実施の形態２において、テキスト又はノートのいずれか一方のみを表示した場合の、タブレット端末表示の一例を示した第２のイメージ図である。
【図１６Ａ】実施の形態２において、タブレット端末を縦長の向きにした場合に、テキスト又はノートのいずれか一方のみを表示したときのタブレット端末表示の一例を示した第１のイメージ図である。
【図１６Ｂ】実施の形態２において、タブレット端末を縦長の向きにした場合に、テキスト又はノートのいずれか一方のみを表示したときのタブレット端末表示の一例を示した第２のイメージ図である。
【発明を実施するための形態】
【００１４】
実施の形態１
以下、図面を参照して本発明の実施の形態について説明する。図１は、実施の形態１における画像表示装置の外観の一例を示した全体図である。画像表示装置１は、ユーザによる情報入力が可能なタッチパネル２を備える。画像表示装置１は、タブレット端末などの携帯情報端末、携帯ゲーム機などのデジタル情報機器である。
【００１５】
タッチパネル２には、ユーザの操作に応じて画像が表示される。なおタッチパネル２は、画像の表示が可能なディスプレイにより構成されている。タッチパネル２は、一画面上に表示領域３（第１の表示領域）と表示領域４（第２の表示領域）とを表示させる。なお、タッチパネルは画像表示装置１に複数備えられていてもよく、それぞれのタッチパネルに第１の表示領域及び第２の表示領域が設けられていてもよい。タッチパネル２には、ユーザの手やポインティングデバイス（例えばスタイラスペン）のタッチパネル２への接触を検出するセンサが設けられている。ユーザの手やポインティングデバイスがタッチパネル２に接触すると、その接触した部分のセンサが接触を検出する。
【００１６】
図１では、タッチパネル２の上側に表示領域３が表示され、タッチパネル２の下側に表示領域４が表示されているが、表示領域３と表示領域４の表示の方法は、図１に示した通りに限られない。例えば、タッチパネル２の下側に表示領域３が表示され、タッチパネル２の上側に表示領域４が表示されていてもよい。あるいは、タッチパネル２の左右いずれかの側に表示領域３が表示され、表示領域３が表示された側以外の側に表示領域４が表示されていてもよい。その他、タッチパネル２が複数の領域に分割された状態で、１の領域に表示領域３が表示され、別の１の領域に表示領域４が表示されていてもよい。
【００１７】
図２は、画像表示装置１の構成例を示したブロック図である。画像表示装置１は、筐体内部に入力情報記憶部５、管理情報記憶部６及び制御部７を備える。以下、各部の処理について説明する。
【００１８】
入力情報記憶部５は、ユーザによってタッチパネルにより入力された情報（以下、入力情報と記載）を頁単位で記憶する。この「頁」は、入力情報をユーザが画像表示装置１のタッチパネル２で読むときの入力情報の区切りを示す。ユーザが入力情報を読みやすいようにするには、入力情報が表示領域４に表示されたときに、表示領域４に入力情報の１頁全体が表示されるようにすることが好ましい。ただし、入力情報の１頁の一部が表示領域４に表示され、ユーザはスクロール等の操作をすることによって入力情報のその１頁の他の部分を表示領域４に表示させるように、入力情報の頁の大きさが設定されてもよい。タッチパネルにより入力された情報は、例えば画像表示装置１が有するペン（例えばスタイラスペン）によってタッチパネルに入力された手書きの情報である。
【００１９】
また、画像表示装置１は、ユーザに対して提供するデータとして頁単位で予め作成された提供情報を取得又は記憶する。ここで「頁」は、提供情報をユーザが画像表示装置１のタッチパネル２で読むときの提供情報の区切りを示す。ユーザが提供情報を読みやすいようにするには、提供情報が表示領域３に表示されたときに、表示領域３に提供情報の１頁全体が表示されるようにすることが好ましい。ただし、提供情報の１頁の一部が表示領域３に表示され、ユーザはスクロール等の操作をすることによって提供情報のその１頁の他の部分を表示領域３に表示させるように、提供情報の頁の大きさが設定されてもよい。なお提供情報とは、文書、図形、画像等により構成される文書データがその一例である。
【００２０】
管理情報記憶部６は、提供情報の頁を識別する第１の頁識別情報と、入力情報記憶部５に記憶された入力情報の頁を識別する第２の頁識別情報とを関連付けて記憶する。管理情報記憶部６は、例えば第１の頁識別情報と第２の頁識別情報とを、テーブルにより関連付けて記憶する。以降、この関連付けられた情報を管理情報という。
【００２１】
制御部７は、提供情報を表示領域３に表示させ、かつユーザからの入力情報を表示領域３に表示させるとともに、その入力情報を入力情報記憶部５に記憶させる。制御部７は、タッチパネル２に設けられたセンサが、ユーザの手やポインティングデバイスの接触を検出した場合に、接触した部分や接触の範囲といった情報に基づいて、ユーザが何を入力したかを判断する。例えば、ユーザがスタイラスペンでタッチパネル２に手書きで文字を書き込んだ場合には、スタイラスペンが接触した箇所及びその周辺のセンサが接触を検出する。制御部７は、それらのセンサの検出結果に基づいて、ユーザが何をタッチパネル２に書いたかを判断する。
【００２２】
さらに制御部７は、管理情報記憶部６に、タッチパネル２に表示された提供情報と入力情報の表示された各頁について、第１の頁識別情報と前記第２の頁識別情報とを関連付けて記憶させる。なお第１の頁識別情報は、例えば画像表示装置１が提供情報を取得したときに、その提供情報に付随して画像表示装置１が取得する。画像表示装置１が提供情報を予め記憶している場合には、その提供情報に付随して画像表示装置１が予め記憶している。第２の頁識別情報は、予め設定されたものであってもよい。あるいは、ユーザが頁への情報入力をしたとき、又は入力情報を画像表示装置１に非一時的に記憶させるときに第２の頁識別情報が設定されてもよい。
【００２３】
なお、様々な処理を行う機能ブロックとして図２に記載された画像表示装置１の各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００２４】
図３は、以上の構成を備えた画像表示装置１の処理の一例を示したフローチャートである。以下、図３を用いて、画像表示装置１の具体的な処理について説明する。
【００２５】
まず制御部７は、ユーザに対して提供するデータとして頁単位で予め作成された提供情報を、タッチパネル２の表示領域３に表示する（ステップＳ１）。提供情報は、前述の通り、元々画像表示装置１が記憶していてもよいし、外部から画像表示装置１が取得してもよい。ユーザは、この状態から、タッチパネル２を用いて情報の入力を行う。
【００２６】
制御部７は、タッチパネル２により入力された情報を、タッチパネル２の表示領域４に表示させる（ステップＳ２）。例えばユーザは、スタイラスペンによってタッチパネル２に情報を入力する。このとき、制御部７は上述の通り、タッチパネル２に情報が入力されたことをタッチパネル２のセンサにより認識する。制御部７は、スタイラスペンがタッチパネル２に接触した箇所が、ユーザが情報を入力したところと判定する。そして制御部７は、その接触箇所をタッチパネル２においてその周辺の画面と異なる色で表示する。これにより、制御部７は、入力情報を表示領域４に表示させることができる。
【００２７】
入力情報記憶部５は、ユーザによって入力された情報を頁単位で記憶する（ステップＳ３）。例えば、ユーザが入力情報の頁１（１頁目）に入力した情報と、入力情報の頁２（２頁目）に入力した情報とは、入力情報記憶部５において区別して記憶される。
【００２８】
管理情報記憶部６は、制御部７の制御に応じて、表示領域３と表示領域４に表示された提供情報と入力情報の各頁について、提供情報の頁を識別する第１の頁識別情報と、記憶された入力情報の頁を識別する第２の頁識別情報とを関連付けて記憶する（ステップＳ４）。例えば、表示領域３に表示された提供情報の頁が頁１であり、その頁を表示しているときに表示領域４に表示された入力情報の頁が頁２であるとする。ここで、管理情報記憶部６は、提供情報が頁１であることを識別する第１の頁識別情報と、入力情報が頁２であることを識別する第２の頁識別情報とを、関連付けて記憶する。
【００２９】
以上により、画像表示装置１は、タッチパネル２に表示された提供情報の頁と、そのときにタッチパネル２に表示された入力情報の表示された頁とを、関連付けて記憶させることができる。そのため、ユーザは、自身が入力した入力情報を画像表示装置１に表示させる場合に、過去にその入力情報を入力したときにタッチパネル２に表示されていた提供情報（つまり、その入力情報に関連する提供情報）を画像表示装置１から参照することにより、その入力情報を画像表示装置１に表示させることができる。つまり、ユーザは、画像表示装置１において入力した情報を入力後に容易に参照することができる。
【００３０】
例えば、図３のステップＳ４において、管理情報記憶部６は、提供情報が頁１であることを識別する第１の頁識別情報と、入力情報が頁２であることを識別する第２の頁識別情報とを、関連付けて記憶したとする。この後、ユーザが、提供情報の頁１を、画像表示装置１から参照することにより、タッチパネル２に表示させる。このとき、制御部７は、管理情報記憶部６において、提供情報の頁１を識別する第１の頁識別情報に関連付けられて入力情報の第２の頁識別情報が記憶されているか否かを判定する。管理情報記憶部６には、提供情報の頁１を識別する第１の頁識別情報に関連付けて入力情報の頁２を識別する第２の頁識別情報が記憶されている。そのため、制御部７は、提供情報の頁１とともに、入力情報の頁２をタッチパネル２に表示させる。以上より、ユーザは、提供情報に関連する入力情報をタッチパネル２に表示させることができる。
【００３１】
さらに画像表示装置１は、ユーザが入力情報に対応した提供情報を画像表示装置１において容易に参照することが可能であってもよい。管理情報記憶部６が、提供情報が頁１であることを識別する第１の頁識別情報と入力情報が頁２であることを識別する第２の頁識別情報とを関連付けて記憶した後、ユーザは入力情報の頁２を、画像表示装置１から参照することにより、タッチパネル２に表示させる。このとき、制御部７は、管理情報記憶部６において、入力情報の頁２を識別する第２の頁識別情報に関連付けて提供情報の第１の頁識別情報が記憶されているか否かを判定する。管理情報記憶部６には、提供情報の頁１を識別する第１の頁識別情報に関連付けて入力情報の頁２を識別する第２の頁識別情報が記憶されている。そのため、制御部７は、入力情報の頁２とともに、提供情報の頁１をタッチパネル２に表示させる。以上より、ユーザは、入力情報に関連する提供情報をタッチパネル２に表示させることができる。
【００３２】
なお、画像表示装置１の処理フローの順番は、図３に示した通りに限られない。例えば、図３のステップＳ２の処理は、ステップＳ１の処理の前に実行されてもよいし、ステップＳ１の処理と同時に実行されてもよい。図３のステップＳ３とステップＳ４の処理は同時に実行されてもよいし、ステップＳ４の処理がステップＳ３の処理よりも先に実行されてもよい。
【００３３】
実施の形態２
図４は、実施の形態２におけるタブレット端末の外観の一例を示した全体図である。以下、実施の形態２にかかるタブレット端末の構成及び処理について説明する。なお、実施の形態１と同じ説明箇所については、適宜説明を省略する。
【００３４】
タブレット端末１０はタッチパネル１１を備える。ユーザはポインティングデバイスを用いることによって、タッチパネル１１に情報入力をすることができる。さらにタッチパネル１１には、ユーザの操作に応じて画像が表示される。なおタッチパネル１１は、静電容量方式、抵抗膜方式、電磁誘導方式、赤外線光学イメージング方式、超音波表面弾性波方式など、ユーザによる書き込み及び画像の表示が可能であるタッチパネル画面であれば、いかなる方式のタッチパネル画面でもよい。実施の形態１に記載した通り、タッチパネル２には、ユーザの手やポインティングデバイス（例えばスタイラスペン）のタッチパネル２への接触を検出するセンサが設けられている。ユーザの手やポインティングデバイスがタッチパネル２に接触すると、その接触した部分のセンサが接触を検出する。
【００３５】
図４において、タッチパネル１１は、図４左側の表示領域１２及び図４右側の表示領域１３の別々のパネル画面に分けられる。表示領域１２にはテキスト文書の頁１が表示されており、表示領域１３にはノートの頁１が表示されている。なお、表示領域１２、１３は、それぞれテキスト文書の１頁全体に記載された情報とノートの１頁全体に記載された情報を表示している（以降、この内容を、単に「表示領域は頁を表示する」と記載する）。テキスト文書の１頁全体は、表示領域１２にぴったりと表示され、ノートの１頁全体は、表示領域１３にぴったりと表示されている。
【００３６】
表示領域１２は、ユーザに対して提供するデータとして頁単位で予め作成されたテキスト文書が映像として表示されている領域である。表示領域１３は、ユーザがポインティングデバイスであるスタイラスペンを用いることによって、ノートとして手書きの情報入力をすることができる領域である。
【００３７】
さらにユーザは、表示領域１２及び表示領域１３に対して、指で操作をすることにより、各表示領域の表示を変更することができる。例えば、表示領域１２がテキスト文書の頁１を表示しているときに、ユーザは表示領域１２の右下又は右上を仮想的にめくる指先のフリック動作をタッチパネル１１上で実行することにより、テキスト文書の頁２（頁１の次の頁）を表示させることができる。同様に、表示領域１３がノートの頁１を表示しているときに、ユーザは表示領域１３の右下又は右上を仮想的にめくる指先のフリック動作をタッチパネル１１上で実行することにより、表示領域１３にノートの頁２を表示させることができる。同様の操作を繰り返すことにより、ユーザは、タッチパネル１１上に表示されるテキスト文書又はノートの頁を先に進ませることができる。
【００３８】
逆に、表示領域１２がテキスト文書の頁２を表示しているときに、ユーザは表示領域１２の左下又は左上を仮想的にめくる指先のフリック動作をタッチパネル１１上で実行することにより、表示領域１２にテキスト文書の頁１（頁２の前の頁）を表示させることができる。同様に、表示領域１３がノートの頁２を表示しているときに、ユーザは表示領域１３の左下又は左上を仮想的にめくる指先のフリック動作をタッチパネル１１上で実行することにより、表示領域１３にノートの頁１を表示させることができる。同様の操作を繰り返すことにより、ユーザは、タッチパネル１１上に表示されるテキスト文書又はノートの頁を戻らせることができる。
【００３９】
以上の動作において、タブレット端末１０は画面の特定の箇所にユーザの指が接触したこと及びユーザの指の動作を検出し、その検出結果に応じて、表示領域１２又は表示領域１３に表示させる画面を変更する。例えば、タッチパネル１１が静電容量方式のタッチパネル画面であり、表示領域１２がテキスト文書の頁１を表示しているときに、ユーザが表示領域１２の右下又は右上を仮想的にめくるフリック動作をタッチパネル１１上で実行したとする。ここで、タブレット端末１０は、タッチパネル１１に設けられた電極層内の複数の電極間の静電容量の変化を検出することにより、ユーザの動作を検出する。そしてタブレット端末１０は、検出したユーザの動作から、ユーザが表示領域１２に表示されたテキスト文書を次の頁に進ませようとしていると判断して、表示領域１２にテキスト文書の頁２を表示させる。
【００４０】
なお、ユーザがペンを用いてノートの頁１に書き込んだ内容は、ユーザがその内容を消去する操作をタブレット端末１０において実行しない限り、タブレット端末１０に保存される。このため、ユーザが表示領域１３をめくる動作を実行することにより、表示領域１３にノートの頁２が表示されたときでも、ユーザがノートの頁１を再表示する動作を実行すれば、ユーザは、以前ノートの頁１に書き込んだ内容を見ることができる。
【００４１】
なお、表示領域１２、１３は、それぞれ図１の表示領域３、４に対応する。
【００４２】
図５は、タブレット端末１０の構成例を示したブロック図である。画像表示装置１は、筐体内部にノート記憶部１４、テーブル格納部１５及び制御部１６を備える。以下、各部の処理について説明する。
【００４３】
ノート記憶部１４は、ユーザによってタッチパネルにより入力されたノートを頁単位で記憶する。
【００４４】
また、タブレット端末１０は、ユーザに対して提供するデータとして頁単位で予め作成された提供情報を外部から取得する。ここで「頁」についての説明は実施の形態１の通りであり、説明を省略する。テキスト文書の１頁は、上述の通り表示領域１２の全体に表示されており、ユーザの操作によって表示領域１２に表示されるテキスト文書の頁が変更される。
【００４５】
テーブル格納部１５は、テキスト情報の頁を識別する第１の頁識別情報と、ノート記憶部１４に記憶されたノートの頁を識別する第２の頁識別情報とを関連付けて記憶するテーブルを格納している。以降、この関連付けられた情報を管理情報という。
【００４６】
制御部１６は、タブレット端末１０がテキスト文書を表示領域１２に表示させ、かつユーザにおいて入力された情報を表示領域１３に表示させるとともに、その入力された情報をノート記憶部１４に記憶させる。制御部１６は、タッチパネル２に設けられたセンサがユーザの手やポインティングデバイスの接触を検出した場合に、接触した部分や接触の範囲といった情報に基づいて、ユーザがノートに何を入力したかを判断する。
【００４７】
さらに制御部１６は、テーブル格納部１５内のテーブルに、タッチパネル１１に表示されたテキストとノートの表示された各頁について、第１の頁識別情報と第２の頁識別情報とを関連付けて記憶させる。
【００４８】
なお、ノート記憶部１４、テーブル格納部１５及び制御部１６は、それぞれ図２の入力情報記憶部５、管理情報記憶部６、制御部７に対応する。
【００４９】
様々な処理を行う機能ブロックとして図５に記載されたタブレット端末１０の各要素は、ハードウェア的には、ＣＰＵ、メモリ、その他の回路で構成することができ、ソフトウェア的には、メモリにロードされたプログラムなどによって実現される。例えば制御部１６は、ＣＰＵ（Central Processing Unit）を有するＩＣ（Integrated Circuit）により構成されてもよい。ノート記憶部１４、テーブル格納部１５は、例えば、ＲＯＭ（Read Only Memory）又はＲＡＭ（Random Access Memory）の少なくとも一つから構成される。
【００５０】
さらにタブレット端末１０は、図示しない電源を適宜有する。また、タブレット端末１０には、ユーザが情報を入力するためにボタンが設けられていてもよい。制御部１６は、そのボタンによってなされた操作に応じて、タッチパネル１１に表示する画像を変更する。
【００５１】
以下、タブレット端末１０の具体的な使用例について説明する。なお、以降では、表示領域１２に表示されるテキスト文書は教科書であり、ユーザは表示領域１２に表示される教科書に基づいて、専用のポインティングデバイスであるスタイラスペンを用い、表示領域１３にノートを記入する。つまり、ユーザである生徒が、教科書を見ながらノートを手書きで書いて勉強するという状態を想定する。
【００５２】
テキスト文書である教科書のデータは、教師側のサーバに格納されている。データの格納形態は、クラウドコンピューティングによるものが一例である。タブレット端末１０は、教師側のサーバにアクセスすることにより、教科書のデータを取得し、その１頁をタッチパネル１１に表示させる。この教科書のデータは、タブレット端末１０において教科書のデータを読み込むアプリケーション（以下アプリと称す）が起動している間のみタブレット端末１０に表示させることができるが、それ以外の場合には表示させることができない。このように、タブレット端末１０の内部に教科書のデータを置かないことで、教科書のデータがタブレット端末１０の外部に流出しないようにすることができる。なお、タブレット端末１０のユーザ（生徒）が教科書のデータを利用する権限があるか否かを確認するために、タブレット端末１０の起動時、教科書のデータを読み込むアプリの起動時、教師側のサーバへのアクセス時の少なくともいずれかにおいて、ユーザ権限をチェックするセキュリティチェックがなされるようにしてもよい。
【００５３】
図６Ａ、図６Ｂは、ユーザがタブレット端末１０を使用中に、ノートの頁を更新したときのタブレット端末１０の動作例を示す第１、第２のイメージ図である。図６Ａは、ノートの頁を更新する前のタッチパネル１１の表示を示している。ここで、表示領域１２にはテキストの頁１が表示され、表示領域１３にはノートの頁１−１が表示されている。テキストの頁１は、テキスト文書の１頁目を示す。ノートの頁１−１は、ノート記憶部１４に記憶されたノートの第１章における１頁目を示し、ノート全体では１頁目の頁に相当する。ここで「第１章」とは、テキストの頁１に対応する頁の集合である。このように、テキストの頁と、ノートの頁とはリンクしてタッチパネル１１上で表示されている。
【００５４】
図６Ａの状態において、ユーザは、スタイラスペンを用いることにより、ノートの頁１−１に文字等を書き込む。このとき、ユーザは、タブレット端末１０に書き込み機能として備えられているマーカー機能等を用いてもよい。このマーカー機能により、ユーザは、文字等を強調して書き込むことができる。
【００５５】
このように入力した情報は、ノートの頁１−１に入力された情報として、ノート記憶部１４に記憶される。さらに、ノートの頁１−１と、テキストの頁１とは関連付けられてテーブル格納部１５内のテーブルに記憶される。
【００５６】
さらに、タブレット端末１０には、一旦ノートに書き込んだ内容を消去することができる機能（いわゆる消しゴム機能）が備えられている。ユーザは、必要に応じてその機能を用いて、ノート記憶部１４に記憶された入力情報を削除することもできる。
【００５７】
図６Ａの状態において、ユーザは、テキストの頁１に関する書き込みについて、ノートの頁１−１ではなく、ノートの新たな頁に書き込もうとする動作を実行する。具体的には、ユーザは（１）の通り、表示領域１３の右下をめくるフリック動作を実行することにより、ノートの頁の更新を行う。制御部１６は、表示領域１３の表面に設けられたセンサからその動作を検出し、表示領域１３において新たなノートの頁を表示させる制御を実行する。
【００５８】
図６Ｂは、以上のようにして、ノートの頁を更新した後のタッチパネル１１の表示を示している。表示領域１３には、ノートの頁１−２が表示されている。ここで「頁１−２」とは、ノートの第１章における２頁目を示し、ノート全体では２頁目の頁に相当する。また、ノートの頁１−１、頁１−２など、テキストの頁１に対応する複数のノートの頁を総称して「ノートの頁１」とする。このように、テキストに対応したノートの頁は、ユーザの操作によって、適宜追加又は削除することが可能である。テキストに対応したノートの頁は複数あってもよい。例えば、テキストの頁１に対応するノートは、ノート頁１−１〜１−１０の１０頁あってもよい。
【００５９】
ここで、表示領域１２には、図６Ａと同様に、テキストの頁１が表示されている。つまり、制御部１６は、表示領域１３に表示されるノートの頁を更新した後でも、表示領域１２に表示されるテキストの頁は変更しない。この処理は、ユーザが、あくまで書き込みのノートのページを更新するつもりであって、表示されるテキストのページを更新するつもりではないという思想に基づくものである。
【００６０】
なお、以前にユーザがノートの頁１−１に書き込んだ内容については、タブレット端末１０の一時的なメモリに格納されている。そのため、ユーザがノートの頁を戻す動作（例えば表示領域１３の左下をめくるフリック動作）をした場合には、表示領域１３には、入力情報が記載されたノートの頁１−１が表示される。タブレット端末１０内に保持されている内容については、ユーザが書き込んだ情報だけでなく、前述のマーカー機能によりマーキングされた箇所も含まれる。そのため、ノートを改頁した場合でも、以前にノートに書き込んだ内容は消去されない。
【００６１】
また、ノートの頁１は、テキストの頁１にリンクされる。そのため、ノートの頁１−１に書き込んだ内容と、ノートの頁１−２に書き込んだ内容とは、テキストの頁１にリンクされてテーブル格納部１５内のテーブルに記憶される。従って、ユーザが後でテキストの頁１に対応するノートを参照する場合には、タブレット端末１０を操作して、表示領域１２に表示されるテキストとして「頁１」を選択することにより、表示領域１３には、その頁にリンクされた（対応する）ノートが表示される。このとき、最初に表示領域１３に表示されるノートの頁を「頁１−１」、つまり頁１の最初の頁とするのが、ユーザの参照上の便宜から好ましい。
【００６２】
次に、テキストの頁を更新したときのタブレット端末１０の処理について説明する。
【００６３】
図７Ａ、図７Ｂは、ユーザがタブレット端末１０を使用中に、テキストの頁を更新したときのタブレット端末１０の動作例を示す第１、第２のイメージ図である。図７Ａは、テキストの頁を更新する前のタッチパネル１１の表示を示している。ここで、表示領域１２にはテキストの頁１が表示され、表示領域１３にはノートの頁１−１が表示されている。なお、ノートの頁についての説明は、前述の通りである。
【００６４】
ここで、ユーザは、表示領域１２に表示されるテキストを次の頁にする、すなわち表示されるテキストの内容を更新しようとする動作を実行する。具体的には、ユーザは図７Ａの通り、表示領域１２の右下をめくるフリック動作を実行することにより、テキストの頁の更新を行う。タブレット端末１０は、教師側のサーバにアクセスすることにより、教科書データの２頁目を取得する。制御部１６は、取得したデータを表示領域１２に表示させる。
【００６５】
図７Ｂは、以上のようにして、ノートの頁を更新した後のタッチパネル１１の表示を示している。表示領域１２には、テキストの頁２が表示されている。この頁２は、テキストにおける頁１の次の頁である。
【００６６】
ここで、表示領域１３には、ノートの頁２−１が表示されている。ここで「頁２−１」とは、ノートの第２章における１頁目を示し、ノート全体では２頁目の頁に相当する。ここで「第２章」とは、テキストの頁２に対応する頁の集合である。この頁は、図７Ａにおいて表示された、頁１−１（テキストの頁１に対応する頁）とは異なる頁であり、テキストの頁２に対応する頁である。つまり、表示領域１２におけるテキストの頁を更新した場合には、表示領域１３に表示されるノートの頁も更新される。この処理は、ユーザが表示するテキストの頁を更新する場合には、ノートの見易さの観点から、そのテキストの頁に対応して書き込まれるノートの頁も更新されるべきという思想に基づくものである。
【００６７】
なお、以上の処理において、タブレット端末１０は、対象とする頁のみの更新を行い、対象とする頁以外の更新は実行しない。また、タブレット端末１０は、ユーザが他に操作を実行しない限り、テキスト又はノートの頁の更新において、次の頁以外の頁を表示することもしない。
【００６８】
図８は、ユーザがテキストを見ながらノートに書き込みをする場合において、制御部１６が実行する処理の一例を示したフローチャートである。以下、図８を参照して、制御部１６が実行する処理について説明する。
【００６９】
まず、ユーザのタッチパネル１１の操作に応じて、制御部１６は、教科書のデータ（ドキュメントファイル）の読み込み及びノートの書き込みを行うためのタブレット端末１０のアプリを起動する（ステップＳ１１）。このアプリを起動することにより、タブレット端末１０は、教科書のデータを内部に取り込むことができる。また、ユーザがノートを書き込む動作を実行することもできる。
【００７０】
次に、ユーザのタッチパネル１１の操作に応じて、制御部１６は、アプリ上から表示したいドキュメントファイルを開く（ステップＳ１２）。これにより、タブレット端末１０は教師側のサーバから教科書のデータを取得し、表示領域１２にその教科書の頁が表示される。
【００７１】
ユーザは、自身の状態に応じて、表示領域１２及び表示領域１３をタッチパネル１１のどこに表示するかを、タッチパネル１１を操作して設定する。制御部１６は、タッチパネル１１の操作に応じて、表示領域１２（テキスト）及び表示領域１３（ノート）の画面上の位置を決める（ステップＳ１３）。
【００７２】
例えば、ユーザが右利きの場合、タッチパネル１１のユーザから見て左側に表示領域１３を配置してしまうと、ユーザの書き込みのときにユーザの右腕が表示領域１２を隠してしまう。そのため、ユーザがノートを書き込むのに不便になってしまう。これを防止するために、ユーザは、表示領域１２をタッチパネル１１のユーザから見て左側に配置し、表示領域１３をタッチパネル１１のユーザから見て右側に配置するのが望ましい。
【００７３】
逆に、ユーザが左利きの場合、タッチパネル１１のユーザから見て右側に表示領域１３を配置してしまうと、ユーザの書き込みのときにユーザの左腕が表示領域１２を隠してしまう。そのため、ユーザがノートを書き込むのに不便になってしまう。これを防止するために、ユーザは、表示領域１２をタッチパネル１１のユーザから見て右側に配置し、表示領域１３をタッチパネル１１のユーザから見て左側に配置するのが望ましい。
【００７４】
図９Ａ、図９Ｂは、タブレット端末１０のタッチパネル１１における表示領域１２と表示領域１３の配置例を示した第１、第２の図である。図９Ａは、表示領域１２をタッチパネル１１のユーザから見て左側に配置し、表示領域１３をタッチパネル１１のユーザから見て右側に配置した図であり、右利きのユーザに特に適するように表示領域が配置されている。図９Ｂは、表示領域１２をタッチパネル１１のユーザから見て右側に配置し、表示領域１３をタッチパネル１１のユーザから見て左側に配置した図であり、左利きのユーザに特に適するように表示領域が配置されている。なお、ユーザは、タッチパネル１１上でフリック動作を実行することにより、表示領域１２及び表示領域１３の位置を変更することもできる。
【００７５】
なお、ステップＳ１３においてユーザが表示領域の位置を設定しなくともよく、ユーザによって予め設定された表示領域の位置に基づき、制御部１６が表示領域１２及び表示領域１３の画面上の位置を自動的に決めてもよい。
【００７６】
そして、ユーザは、タブレット端末１０のポインティングデバイスであるスタイラスペンを用いて、表示領域１３に表示されたノートに文字等の情報を書き込む。これにより、ユーザはノートに情報を入力する。制御部１６は、タッチパネル１１上のセンサから入力情報を検出し、それを表示する（ステップＳ１４）。
【００７７】
制御部１６は、表示領域１３に表示されたノートが、ユーザによって改頁されたか否かを、タッチパネル１１の操作の有無等により判定する（ステップＳ１５）。この操作は、例えばタッチパネル１１に対するタッチ、フリック動作、又はタブレット端末１０に設けられたボタンの押下等が含まれる。
【００７８】
ノートがユーザによって改頁された場合（ステップＳ１５のＹｅｓ）、制御部１６は、表示領域１３に表示されたノートを改頁する処理を実行する（ステップＳ１６）。ここで、制御部１６は、テキストの頁の改頁はしない。この詳細については、前述の図６Ａ、図６Ｂの説明の通りである。そして、制御部１６はステップＳ１４に戻って処理を実行する。
【００７９】
ノートがユーザによって改頁されていない場合（ステップＳ１５のＮｏ）、次に制御部１６は、表示領域１２に表示されたテキストが、ユーザによって改頁されたか否かを判定する（ステップＳ１７）。この判定の詳細についてはステップＳ１５と同様である。
【００８０】
テキストがユーザによって改頁された場合（ステップＳ１７のＹｅｓ）、制御部１６は、ノートを改頁する処理を実行する（ステップＳ１８）。ここで、制御部１６は、テキストの頁の改頁はしない。この詳細については、前述の図６の説明の通りである。そして、制御部１６はステップＳ１４に戻って処理を実行する。
【００８１】
テキストがユーザによって改頁されていない場合（ステップＳ１７のＮｏ）、制御部１６は、ユーザの操作により、ノートへの書き込みが終わり、ノートの保存処理がなされたか否かを判定する（ステップＳ１９）。
【００８２】
未だノートの保存処理がなされていない場合には（ステップＳ１９のＮｏ）、制御部１６はステップＳ１４に戻って処理を実行する。
【００８３】
ノートへの書き込みが終わり、ノートの保存処理がなされた場合には（ステップＳ１９のＹｅｓ）、制御部１６はノートに入力された情報をノート記憶部１４に記憶させる。さらに、制御部１６は、表示領域１２に表示されていたテキストの頁と、そのテキストの頁が表示されていたときに表示領域１３に表示されていたノートの頁とをリンクしてテーブル格納部１５内のテーブルに格納させる。
【００８４】
制御部１６は、テキストを表示領域１２に表示する処理を終了したときか、又はノートを表示領域１３に表示する処理を終了したときの少なくともいずれかにおいて、表示領域１２に表示されていたテキストの頁と、そのテキストの頁が表示されていたときに表示領域１３に表示されていたノートの頁とをリンクしてテーブル格納部１５内のテーブルに格納させることができる。つまり、タッチパネル１１を、テキストとノートの頁を両方とも表示する状態から、片方のみ表示する状態に変更する場合に、制御部１６はテキストの頁とノートの頁をリンクしてテーブル格納部１５内のテーブルに格納させることができる。以上の処理を実行した後、制御部１６は処理を終了する。
【００８５】
図１０は、以上の処理によってテーブル格納部１５内のテーブルに格納されたテキスト頁とノート頁とのリンクが示されたテーブルの一例である。図１０において、テキストの頁１はノートの頁１−１、頁１−２、頁１−３と関連付けられている。テキストの頁２はノートの頁２−１、頁２−２と関連付けられている。テキストの頁３はノートの頁３−１、頁３−２と関連付けられている。テキストの頁４はノートの頁４−１と関連付けられている。テキストの頁５はノートの頁５−１、頁５−２、頁５−３と関連付けられている。ここで、ノートの頁数は章毎の昇順で表記されている。
【００８６】
ノートの頁数は、章毎の昇順ではなく、ノート全体の昇順で表記することもできる。図１０において、章毎の昇順で示されたノートの頁１−１、頁１−２、頁１−３は、ノート全体の昇順で示された頁１、頁２、頁３にそれぞれ対応する。章毎の昇順で示されたノートの頁２−１、頁２−２は、ノート全体の昇順で示された頁４、頁５にそれぞれ対応する。章毎の昇順で示されたノートの頁３−１、頁３−２は、ノート全体の昇順で示された頁６、頁７にそれぞれ対応する。章毎の昇順で示されたノートの頁４−１は、ノート全体の昇順で示された頁８にそれぞれ対応する。章毎の昇順で示されたノートの頁５−１、頁５−２、頁５−３は、ノート全体の昇順で示された頁９、頁１０、頁１１にそれぞれ対応する。
【００８７】
図１０に示したテキストの頁とノートの頁の対応付けがなされている場合、テキストのある頁がユーザによって参照されたとき（つまり、テキストの頁が表示領域１２に表示されたとき）、制御部１６は、図１０においてそのテキストの頁に対応するノートの頁を表示領域１３に表示させる。ここで、テキストの頁に対応するノートの頁が１枚であるときは、制御部１６は表示領域１３にその頁を表示する。
【００８８】
図１１は、テキストの頁４が表示領域１２に表示された場合のタブレット端末１０の画面表示の例を示した図である。図１１において、テキストの頁４はノートの頁４−１（頁８）に関連付けられているので、制御部１６は表示領域１３にノートの頁４−１を表示する。なお、表示領域１３にはノートの頁４−１がぴったり表示されていてもよいし、表示領域１３に表示されるノートの頁４−１の大きさはこれより小さくてもよい。
【００８９】
図１２Ａは、テキストの頁２が表示領域１２に表示された場合のタブレット端末１０の画面表示の第１の例を示した図である。図１２Ａにおいて、テキストの頁２はノートの頁２−１（頁４）及び頁２−２（頁５）に関連付けられている。ここで、制御部７は関連付けられている複数の頁のうち、先頭の頁（即ち頁番号が少ない頁）のみを表示領域１３に表示させる。先頭の頁が表示されることにより、ユーザは、ノートの参照を分かりやすく行うことができる。
【００９０】
図１２Ｂは、テキストの頁２が表示領域１２に表示された場合のタブレット端末１０の画面表示の第２の例を示した図である。上述の通り、図１０において、テキストの頁２はノートの頁２−１（頁４）及び頁２−２（頁５）に関連付けられている。ここで、制御部７は関連付けられている複数の頁の全てを、表示領域１３内に一覧として表示されるようにする。図１２Ｂでは、ノート頁２−１とノート頁２−２とが一覧として表示領域１３に表示されている。このため、図１２Ａと比較すると、表示領域１３におけるノートの１頁当たりの表示領域は小さくなる。
【００９１】
このように、表示領域１３に、表示領域１２に対応するテキストの頁と関連するノートの頁が一覧として表示されることにより、ユーザはテキストの頁と関連するノートの頁全体を把握することができる。ユーザが表示領域１３に表示されているノート頁の部分にタッチすることにより、制御部１６はその操作に応じて、タッチした部分の頁を拡大して表示領域１３に表示させることができる。例えば、図１２Ｂにおいてユーザが表示領域１３における「ノート頁２−１」のタッチパネル１１の部分をタッチすることにより、ノート頁２−１は表示領域１３において拡大表示され、図１２Ａのように表示される。なお、図１２Ｂの「ノート頁２−１」の表示よりも拡大されるのであれば、ノート頁２−１は図１２Ａのように表示領域１３いっぱいに表示されなくてもよい。同様に、図１２Ｂにおいてユーザが表示領域１３における「ノート頁２−２」のタッチパネル１１の部分をタッチすることにより、ノート頁２−２は表示領域１３において拡大表示される。
【００９２】
ここで、制御部７は、関連付けられている複数の頁の全てではなく、その一部である複数の頁を表示領域１３内に一覧として表示してもよい。表示領域１３に表示されない部分は、ユーザが表示領域１３の表示を変える動作を実行した場合に、制御部１６がその動作を検出して、表示領域１３の表示を変えて表示をする。例えば、テキストの頁１に関連するノートの頁が８頁ある場合には、制御部１７は８頁のうちの４頁を表示し、ユーザの操作に応じて、残りの４頁を現在表示している４頁に代えて表示してもよい（もちろん、制御部１７は８頁全てを表示するようにしてもよい）。このようにしても、ノートの複数の頁が表示領域１３に表示されるため、ユーザはテキストの頁と関連するノートの頁を俯瞰的に把握することができる。
【００９３】
以上は、図１０におけるテキスト頁１、頁３、頁５及びそれらに対応するノート頁についても同様である。
【００９４】
逆に、ユーザが表示領域１３にノートのある頁を表示させた場合に、制御部１６は、図１０において対応するテキストの頁を表示領域１２に表示させることができる。例えば、ユーザがタブレット端末１０を操作することにより、表示領域１３にノート頁２−１を表示させたとする。ここで、図１０において、ノート頁２−１とテキスト頁２とが関連付けられているので、制御部１６は表示領域１２にテキスト頁２を表示させる（図１２Ａ）。このようにして、ユーザはノートの頁からそれに関連するテキストの頁を表示させることができる。
【００９５】
なお、ステップＳ１９において保存されたノートは、タブレット端末１０で再表示することができるほか、電子データとしてユーザが閲覧することができる。電子データは、例えばｐｄｆ（Portable Document Format）形式のファイルである。また、タブレット端末１０にプリント機能が搭載されている場合には、ユーザはその保存されたノートをプリントすることができる。
【００９６】
以上に説明した通り、ユーザは、テキストの頁に対応するノートに書き込みを行った上で、そのノートを保存することができる。これにより、ユーザは、ノートに記載した内容を検索するときに、テキストの頁に対応するノートを検索することにより、容易に情報を参照することができる。
【００９７】
従来のタブレット端末においては、電子データを表示するｖｉｅｗｅｒと、ユーザが書き込めるノートを実行する入力アプリとは独立に動作していた。そのため、タブレット端末上において、ｖｉｅｗｅｒにテキストを表示しながら手書きでノートをとるためには、ｖｉｅｗｅｒと入力アプリとを切り替えて使用する必要があった。
【００９８】
また、ｖｉｅｗｅｒとノートとがリンクされていないため、以前に書き込んだノートの内容を検索することは容易にできなかった。さらに、「情報を参照しながらノート又はメモを書き込む」といったことができなかったため、具体的なタブレット端末の利用シーンを想定することができなかった。特に、「教科書を見ながら手書きでノートをとる」ということが行われる教育現場では、タブレット端末の利用がし辛く、タブレット端末を利用するモチベーションが乏しかった。
【００９９】
実施の形態２に示したタブレット端末では、教科書等のテキストを参照しながらのペン入力、即ちユーザの手書きによる入力が可能である。また、タブレット端末の操作も簡単であるため、小学生などのユーザでも容易にタブレット端末を用いた学習をすることができる。
【０１００】
さらに、入力が電子化されても、ユーザの情報入力の環境は、現今の教育現場で用いられている教科書（紙）＋ノート（紙）＋鉛筆／消しゴムの環境に準拠しており、根本的な変更はない。そのため、紙媒体による入力に慣れたユーザであっても、苦労なく、タブレット端末が提供する入力環境を使用することができる。
【０１０１】
また、サーバ側に教科書のデータを格納しておき、タブレット端末側に教科書のデータを保存させないようにすることができるので、データの流出を防ぐことができる。
【０１０２】
以上に説明した実施の形態では、紙媒体を用いないため、教育現場でのペーパーレス化を達成し、環境保護に貢献することができる。また、教育現場におけるＩＣＴ（Information and Communication Technology）技術の導入が活性化することにより、教育のグローバル化を推進することが可能である。
【０１０３】
さらに、以上に説明したタブレット端末を用いて生徒が記載したノートは、個人情報として生徒が保持するのみならず、クラウドコンピューティング等のコンピュータシステム上で管理することにより、教師、生徒の保護者も閲覧することができる。ここで、紙媒体のノートと異なり、初めから電子データ化された状態でノートを保存することができるため、閲覧に必要な手間を省くことができる。保存されたノートは、例えば生徒の個別指導に活用することができる。
【０１０４】
その他、実施の形態２に記載したタブレット端末１０は、以下の効果を奏する。
【０１０５】
テーブル格納部１５は、テキスト情報の頁を識別する第１の頁識別情報と、ノート記憶部１４に記憶されたノートの頁を識別する第２の頁識別情報とを対応付けて記憶するテーブルを格納している。このようにテーブルで管理情報を記憶しているため、管理情報を簡易な構成で記憶させることができ、タブレット端末１０に必要なメモリ容量を削減することができる。
【０１０６】
制御部１６は、テキストを表示領域１２に表示する処理を終了したときか、又はノートを表示領域１３に表示する処理を終了したときの少なくともいずれかにおいて、タッチパネル１１に表示された各頁について、第１の頁識別情報と第２の頁識別情報とをテーブル格納部１５に関連付けて記憶させる。つまり、ユーザがノートに情報入力を行わないことが確定したときに、制御部１６は第１の頁識別情報と第２の頁識別情報とをテーブル格納部１５に関連付けて記憶させる。そのため、ノートに情報が入力される途中で第１の頁識別情報と第２の頁識別情報とをテーブル格納部１５に関連付けて記憶させる場合と異なり、アプリを再起動するまでは、ユーザがノートの頁を削除又は追加するようなことがない。そのため、一旦テーブル格納部１５に記憶させた情報を書き直すことがより少なくて済み、効率的にタブレット端末１０を使用することができる。
【０１０７】
制御部１６は、タッチパネル１１に表示された各頁について、第１の頁識別情報と関連付けて複数の第２の頁識別情報をテーブル格納部１５に記憶させることができる。このため、テキストの１頁に対して、ノート１頁分に収まらない情報をユーザがノートに書き込む場合でも、ユーザはテキストの１頁に対応する複数のノートの頁にその情報を書き込むことができる。そのため、テキストの頁とノートの頁とが１頁同士しか対応付けられない場合と比較して、ノートをより効率よく使用することができる。
【０１０８】
さらに、制御部１６は、テーブル格納部１５において、第１の頁識別情報に対して複数の第２の頁識別情報が関連付けられて記憶されている場合に、第１の頁識別情報にかかるテキストの頁を表示領域１２に表示したときに、その複数の第２の頁識別情報にかかるノートの頁のうち２以上の頁を表示領域１３に表示させることができる。そのため、上述の通り、関連付けられた複数のノートの頁が表示領域１３に表示されるため、ユーザはテキストの頁と関連するノートの頁を俯瞰的に把握することができる。
【０１０９】
制御部１６は、表示領域１２に表示させるテキストの頁を変更したことをトリガとして、表示領域１３に表示させるノートの頁を変更させる処理を行う。このため、ユーザは、テキストの頁の変更に伴い、ノートの頁を自動的に変更された状態で書くことができるため、タブレット端末１０はより整理されたノートを作成することができる。
【０１１０】
実施の形態３
以下、図面を参照して実施の形態３について説明する。実施の形態２では、ユーザがノートに情報を入力する場合を説明したが、ユーザがテキストに情報を入力してもよい。ユーザは、表示領域１２に、表示領域１３と同様に書き込みをすることによって、テキストに情報を入力することができる。制御部１６は、テキストへの情報の入力があった場合、その入力された情報をタブレット端末１０内のメモリに記憶させてもよいし、教師側のサーバにその内容を送信してもよい。なおタブレット端末１０は、入力情報がテキストの頁のどこに書き込まれたかという内容についても、タブレット端末１０内の記憶部に格納させるか、教師側のサーバに送信することができる。
【０１１１】
図１３は、入力された情報がタブレット端末１０内の記憶部に格納される場合のタブレット端末１０の構成例を示すブロック図である。タブレット端末１０は、図５と比較して、メモ記憶部１７（第１の入力情報記憶部）を新たに備える。このメモ記憶部１７は、ユーザによってタッチパネル１１の表示領域１２を介して入力された情報を頁単位で記憶する。
【０１１２】
制御部１６は、ユーザに対して提供するデータとして頁単位で予め作成されたテキストを表示領域１２に表示させ、かつユーザにおいて表示領域１２を介して入力された情報を表示領域１２に表示させ、その入力された情報をノート記憶部１４に記憶させる。制御部１６が実行する他の処理については、実施の形態２と同様であるため、説明を省略する。ノート記憶部１４（第２の入力情報記憶部）、テーブル格納部１５（管理情報記憶部）の実行する処理についても、実施の形態２と同様であるため、説明を省略する。
【０１１３】
ここで、表示領域１２に入力された情報は、制御部１６の制御により、入力されたときに表示領域１２に表示されているテキストの頁単位で（テキストの頁と関連付けられて）メモ記憶部１７に記憶される。
【０１１４】
ユーザがテキストデータの読み込み及びノートの書き込みを行うためのアプリを一旦終了し、後に再起動した場合に、実施の形態２で上述の通り、制御部１６はテキストの頁を表示領域１２に表示させ、ノートの頁を表示領域１３に表示させる。このとき、そのテキストの頁に関連付けられた入力情報も、制御部１６はメモ記憶部１７から参照し、表示領域１２に表示させる。つまり、以前その頁を表示していたときにその頁に書き込まれた入力情報も表示領域１２に表示される。ここで、入力情報がテキストの頁において書き込まれた位置についてもメモ記憶部１７に格納されているため、以前入力情報が書き込まれたテキストの頁内の場所と同じ場所に、入力情報が表示される。
【０１１５】
入力された情報が教師側のサーバに送信された場合、教師側のサーバの方で、表示領域１２に入力された情報は、入力されたときに表示領域１２に表示されているテキストの頁と関連付けられて記憶される。ユーザがアプリを一旦終了し、後に再起動した場合に、上述の通り、テキストの頁が表示領域１２に表示され、ノートの頁が表示領域１３に表示される。このとき、そのテキストの頁に関連付けられた入力情報も、教師側のサーバから配信される。上述の例と同様、入力情報が書き込まれたテキストの頁内の場所と同じ場所に、入力情報が表示される。
【０１１６】
このように、タブレット端末１０は、テキストに入力された情報についてもノートの頁と関連付けて記憶し、それを表示させることができる。そのため、ユーザは、より自由度が高く情報入力ができる。これにより、学習等により適したタブレット端末を提供することができる。
【０１１７】
さらに、制御部１６は、ノートの頁（表示領域１３）に入力された文字等が何であるかを認識し、その文字等と、ノートの頁と同時に表示領域１２に表示されたテキスト内の文字等とが同一か否かを比較することをしてもよい。例えば、表示領域１２のテキストに記載された情報の一部に、二次方程式の解の公式として
【数１】
2014157538.tif 000003
が表示されているとする。なお、表示領域１２のテキストに（式１）のみが表示されていてもよい。ここで、同時に表示領域１３に表示されたノートに、ユーザが二次方程式の解の公式を
【数２】
2014157538.tif 000004
と間違えて記載したとする。ここで制御部１６は、（式１）の文字情報の内容と（式２）の文字情報の内容が同一でない（特に（式１）の分母と（式２）の分母が同一でない）ことを判定し、ユーザに対して表示、音声、及び振動の少なくとも１つにより通知を行う。
【０１１８】
例えば制御部１６は、表示領域１３に記載された（式２）全体を赤く点滅させることにより、（式２）がテキストに記載された（式１）と異なることをユーザに通知してもよい。あるいは、表示領域１３に記載された（式２）の分母の「２ｃ」だけを赤く点滅させることにより、その箇所がテキストに記載された（式１）の分母の「２ａ」と異なることをユーザに通知してもよい。さらに制御部１６は、テキストに記載された（式１）についても赤く囲む等の表示をしてもよい。このように、制御部１６は、ノートに書き込まれた情報と、テキストに記載された情報の両方を利用することにより、ノートに書き込まれた情報がテキストに記載された情報と不一致であることをユーザに知らせることができる。そのため、ノートに間違った内容を記載することを防止することができる。以上の処理は、ユーザの勉強等において活用することができる。
【０１１９】
逆に、制御部１６は、ノートに書き込まれた情報がテキストに記載された情報と一致していることをユーザに対して通知してもよい。例えば、上述のテキストに記載された（式１）がノートにも書き込まれたことを制御部１６が判定した場合、制御部１６は、ノートに記載された（式１）を青く点滅させることにより、テキストに記載された（式１）と同一であることをユーザに通知してもよい。また、テキストに記載された（式１）についても、同様な表示をすることにより、強調して通知をすることができる。
【０１２０】
このように、制御部１６は、タッチパネル１１に表示された各頁について、表示領域１２に表示されたテキストの少なくとも一部と、それと同じタイミングで表示領域１３に表示されたノートとにおいて、情報の内容が一致しているか否かを判定し、不一致である場合には表示、音声、及び振動の少なくとも１つにより通知することができる。これにより、タブレット端末１０は、ノートに間違った内容を記載することを防止することができる。なお、以上の処理は、実施の形態２にかかるタブレット端末１０においても実行することができる。
【０１２１】
さらに、タブレット端末１０においてユーザがテキストに情報を入力可能なとき（例えばタブレット端末１０が図１３に示す構成を有しているとき）、表示領域１３に文字等が入力された後から所定の時間内に、表示領域１２に文字等が入力された場合、制御部１６は、入力された情報同士を関連付けた上で、それぞれノート記憶部１４とメモ記憶部１７に記憶させてもよい。具体的なイメージとしては、テキストの頁に、その頁と関連するノートの頁に対応したメモを記入した場合が想定される。同様に、表示領域１２に文字等が入力された後から所定の時間内に、表示領域１３に文字等が入力された場合、制御部１６は、入力された情報同士を関連付けた上で、それぞれノート記憶部１４とメモ記憶部１７に記憶させることもできる。
【０１２２】
以上の処理を行い、ユーザがアプリを終了した後、ユーザがアプリを再開させ、テキストとノートを見直す復習をする。ここで、上述の対応付けられた情報のうち、テキスト側（表示領域１２）に記載された情報については、制御部１６はマークやハイライト等、ユーザに強調するための表示をした上で表示領域１２に表示させる。ここで、ユーザがその表示がなされた情報をタッチすると、ノート側（表示領域１３）に対応する情報が記載された対応頁が表示される。つまり、制御部１６は、対応する情報を表示領域１３に表示させることができる。このとき、表示領域１３に表示される対応する情報についても、マークやハイライト等のユーザに強調するための表示がなされている。
【０１２３】
まとめると、制御部１６は、表示領域１２又は１３の一方の表示領域を介して情報が入力された後から所定の時間内に、他方の表示領域を介して情報が入力された場合、入力された情報同士を関連付けた上で、それぞれの情報をメモ記憶部１７とノート記憶部１４に記憶させる。このようにして、ユーザは、テキストの情報と関連付けられたノートの情報を容易に参照することができる。
【０１２４】
さらに、制御部１６は、タブレット端末１０においてユーザがテキストに情報を入力可能なとき、テキスト側（表示領域１２）に情報を入力するときと、ノート側（表示領域１３）に情報を入力するときとで、入力された情報の表示方法を自動的に変更してもよい。例えば、ユーザがノート側に情報を入力したときは、制御部１６は入力情報（例えば文字）を黒く表示する。一方、ユーザがテキスト側に情報を入力したときは、制御部１６は入力情報を赤く表示する。これは、テキストとノートという異なる対象にユーザが情報を入力するときに情報を異なる方法で表示することにより、ユーザが入力した情報をより明確に認識することができるという効果を奏する。
【０１２５】
実施の形態２において、表示領域１３にユーザが手書きで文字等を入力する例を説明した。ここで、制御部１６は、表示領域１３に入力された文字等が何であるかを認識し、それをデジタルフォントに自動変換して表示領域１３に表示させてもよい。ここで、制御部１６は、表示領域１３を、ユーザが文字等を書くスペースとその文字をデジタルフォントで表示させるスペースとに分割することにより、ユーザが文字を書きやすくすることができる。
【０１２６】
特に、制御部１６は、表示領域１３において、ユーザの手前側にユーザが文字等を書くスペースを設け、反対側にその文字等をデジタルフォントで表示させるスペースを設けることにより、ユーザは表示される文字を見ながら文字を書き込めることができる。あるいは、表示領域１３において、ユーザから見て文字を書く腕の側にユーザが文字等を書くスペースを設け、その反対側にその文字等をデジタルフォントで表示させるスペースを設けることによっても、ユーザは表示される文字を見ながら文字を書き込めることができる。これにより、ユーザにとって文字入力がしやすいという効果を生じる。なお、制御部１６は、表示領域１３のどの側がユーザにとっての手前側であるかを、例えばテキストの頁の表示において設定された上下の情報に基づいて判定する。
【０１２７】
ここで、表示領域１３に表示される文字等が一定以上の分量になると、表示領域１３においてユーザが文字を書くスペースがなくなってしまう。ここで「一定以上の分量」とは、例えば文字数又は表示領域１３に占める文字等の面積が一定以上になったことをいう。そのような場合に、制御部１６は、表示される文字等が一定以上の分量になったことを判定して、表示領域１３に表示するノートの頁を改頁する。これにより、ユーザは、支障なく文字を手書き入力することができる。
【０１２８】
なお、このようにして表示領域１３に文字が表示された頁については、ユーザが手書きで文字等を書くスペース分だけ文字表示に空きが生ずる。このため、ノートを保存するときには、ノートの頁に文字が詰められた状態に制御部１６が設定して（すなわち、ユーザが手書きで文字等を書くスペースにも文字が記載された状態にして）、ノートを保存するようにすることもできる。例えば、表示領域１３を、文字等を書くスペースと文字等をデジタルフォントで表示させるスペースとで等分した状態で、ユーザが２頁分の文字を書き込んだ場合に、制御部１６はユーザが書きこんだ文字の情報を、１頁分のノートにまとめてノート記憶部１４に保存させることができる。
【０１２９】
以上に説明した実施の形態３にかかるタブレット端末１０の各部が実行する他の処理は、実施の形態２と同様であるため、説明を省略する。
【０１３０】
実施の形態４
以下、図面を参照して実施の形態４について説明する。実施の形態２、３では、タブレット端末１０はテキスト情報を外部から取得した。しかし、タブレット端末１０は、テキスト情報を予め記憶していてもよい。
【０１３１】
図１４は、タブレット端末１０の他の構成例を示したブロック図である。図１４に示したタブレット端末１０は、図５に示したタブレット端末１０に比較して、テキストを記憶するテキスト記憶部１８をさらに備える。ここでテキスト情報の頁を識別する第１の頁識別情報は、テキストとともにテキスト記憶部１８に記憶されている。図１４に示したタブレット端末１０は、実施の形態２に示した処理と同様にして、テキストの頁とノートの頁とを関連付ける。
【０１３２】
実施の形態４にかかるタブレット端末１０でも、実施の形態３にかかるタブレット端末１０と同様、テキストにメモを書き込むことが可能である。この場合には、制御部１６は、書き込まれたメモを書き込んだテキストの頁と関連付けてテキスト記憶部１８に記憶する。さらに、入力情報がテキストの頁において書き込まれた位置についてもメモ記憶部１７に格納されているため、以前入力情報が書き込まれたテキストの頁内の場所と同じ場所に、入力情報が表示される。ここで、入力情報がテキストの頁において書き込まれた位置についてもテキスト記憶部１８に格納させることができる。そのため、アプリを終了後、再起動した場合には、以前入力情報が書き込まれたテキストの頁内の場所と同じ場所に、テキストに記載した入力情報が表示される。
【０１３３】
実施の形態４にかかるタブレット端末１０は、実施の形態３の説明にて示したタブレット端末１０の処理と同様の処理を実行することができる。
【０１３４】
なお、本発明は上記実施の形態に限られたものではなく、趣旨を逸脱しない範囲で適宜変更することが可能である。
【０１３５】
実施の形態２では、タブレット端末１０の表示領域１２にテキストを表示し、表示領域１３にノートを表示する例を説明したが、同様に表示領域１２に生徒へのテスト問題を表示し、表示領域１３に解答欄を表示するようにしてもよい。このようにすることで、勉強のみならず、教室でテストをするときにも、タブレット端末１０を使用することができるため、上述の効果を達成することができる。
【０１３６】
解答欄に記載されたテストの解答は、上述と同様、コンピュータネットワーク上で簡単に管理することができる。その解答に基づくテストの成機も、個人単位、教室単位、学校単位で蓄積して管理することができる。このため、個人の成績推移、順位（例えばクラス内や学年内の順位）を逐次確認することができる。さらに、全国模試のような大規模なテストにおいては、全受講者間での順位付けを確認することも可能となる。
【０１３７】
以上の実施の形態において、テキストに対応したノートの頁は、ユーザの操作によって、適宜追加又は削除することが可能である。テキストに対応したノートの頁は複数あってもよい。ここで、テキストの頁に対応するノートの最大枚数が予め制限されている場合に、ユーザがノートの最後の頁（最大枚数にかかる頁）を改頁しようとした場合には、タブレット端末はユーザに警告をするようにしてもよい。例えば、タブレット端末は、エラーメッセージを表示、振動、警告音の少なくともいずれか１つを実行することにより警告してもよい。
【０１３８】
この場合、ユーザはテキストを改頁することにより、ノートを次のノートの頁に改頁することができる。例えば、テキストの頁に対応するノートの最大枚数が１０頁であって、表示領域１２にテキストの頁１が、表示領域１３にノート頁１−１０が表示されているとする。ここでノート１−１０は、テキストの頁１に対応するノートの頁の１０頁目である。このとき、ユーザがノート頁１−１０の次の頁に進むように操作をすると、制御部１６はノートの最大頁数をオーバーしたことを認識し、ユーザに対して上述の警告を行う。ユーザは、テキストを改頁するようにタブレット端末１０の操作を実行することにより、表示領域１２にテキストの頁２を表示させるとともに、表示領域１３に新たなノートとしてノート頁２−１を表示させることができる。
【０１３９】
なお、ユーザがノートの最後の頁を改頁しようとした場合には、制御部１６は警告を行わず、表示領域１２に表示させるテキストの頁を改頁するとともに、表示領域１３に表示させるノートもそれに対応した頁に改頁してもよい。例えば上述の例において、ユーザがノート頁１−１０の次の頁に進むように操作をすると、制御部１６は自動的に表示領域１２にテキストの頁２を表示させるとともに、表示領域１３に新たなノートとしてノート頁２−１を表示させてもよい。
【０１４０】
制御部１６は、表示領域１３に表示されているノートの頁に、対応するテキストの頁（対応位置）を示すようにしてもよい。また、制御部１６は、表示されているテキスト又はノートの頁に、テキスト全体又はノート全体において現在開かれているのがどの頁であるかを表示してもよい。なお、表示は、ユーザにとってテキストの閲覧又はノートへの書き込みの邪魔にならないように、テキスト又はノートの表示領域の端に表示されるのが好ましい。
【０１４１】
教育現場等においては、生徒側のタブレット端末が教員側のサーバに接続されている状態が考えられる。そのような場合に、タブレット端末は、サーバ側の指示に応じて、表示領域１２に表示されているテキストを自動的に改頁するようにしてもよい。このテキストの改頁に応じて、ノートも改頁されるのは、今まで説明した通りである。なお、ユーザである生徒が、タブレット端末において自分でテキストを改頁する操作を実行することは許可されていてもよいし、不許可にされていてもよい。
【０１４２】
実施の形態２〜４において、テキスト、ノートのユーザから見た表示位置は変更することが可能である。例えば、タブレット端末１０を反転することにより、ユーザから見たテキストとノートの左右の位置を逆転させることができる。
【０１４３】
タブレット端末１０においてテキストとノートとの位置を変更する動作を実行した場合の、タブレット端末１０の表示の一例を示したイメージ図は、図９Ａ、図９Ｂの通りである。図９Ａでは、ユーザから見て左側の領域（表示領域１２）にテキストの頁１が、ユーザから見て右側の領域（表示領域１３）にノートの頁１が、それぞれ表示されている。ここでユーザは、タブレット端末１０を反転させる。図９Ｂは、反転後におけるタブレット端末の表示が示されている。図９Ｂでは、ユーザから見て左側の領域（表示領域１３）にノートの頁１が、ユーザから見て右側の領域（表示領域１２）にテキストの頁１が、それぞれ表示されている。ここで制御部１６は、タブレット端末１０が備えた加速度センサ等によってユーザの反転動作を検出することができる。そのため、制御部１６は、その検出をトリガとして、図９Ａと同じ向きに、テキスト及びノートの画像を表示させることができる。従って、ユーザは、図９Ｂにおいてテキスト及びノートを視認していたのと同様に、テキスト及びノートを視認することができる。このように、テキストの表示位置とノートの表示位置とを容易に入れ替えることができるため、ユーザが右利き又は左利きのいずれである場合にも、テキストを見てノートに書き込みをすることを容易に実現することができる。なお、テキストが一画面の一部（例えば上部）に表示され、ノートが一画面の一部（例えば下部）に表示されているような場合でも、同様の操作でテキストとノートの画面における表示位置を入れ替えることができる。
【０１４４】
タブレット端末１０は、さらに、テキストだけの表示、ノートだけの表示をすることもできる。図１５Ａ、図１５Ｂは、テキスト又はノートのいずれか一方のみを表示した場合の、タブレット端末１０の表示の一例を示した第１、第２のイメージ図である。図１５Ａでは、表示領域１２にテキストの頁１が表示され、表示領域１３にテキストの頁２が表示されている。ここで、タブレット端末１０にはノートは表示されていない。図１５Ｂでは、表示領域１２にノートの頁１が表示され、表示領域１３にノートの頁２が表示されている。ここで、タブレット端末１０にはテキストは表示されていない。
【０１４５】
ユーザは、タブレット端末１０にテキストとノートの両方が表示されている初期状態（図９Ａ）から、ボタンの押下、指による操作などを行うことにより、制御部１６がこの操作を認識して制御することで、図１５Ａ又は図１５Ｂの状態にすることができる。ユーザは、テキストだけを見たい場合、あるいはノートに書き込みだけをしたい場合に、それぞれ図１５Ａ、図１５Ｂに示した状態にすることができる。
【０１４６】
なお、図１５Ａのようにテキストが大きく表示領域１２、１３に表示されている場合に、制御部１６は、表示領域１２又は１３に表示されたテキストの一角に、表示領域１２又は１３に表示されたテキストの頁と関連するノートの頁を小さく表示させてもよい。この頁同士の関連については、図１０において説明した通りである。このノートの頁をユーザがクリックすることにより、制御部１６は、その頁を表示領域１２又は１３のいずれかに表示させる。これにより、ユーザは容易に、表示されたテキストの頁と対応するノートの頁を参照することができる。なお、対応するノートの頁が複数ある場合には、制御部１６は先頭の頁のみを表示領域１２又は１３のいずれかに表示させてもよいし、その全て又は一部を表示させてもよい。
【０１４７】
同様に、図１５Ｂのようにノートが大きく表示領域１２、１３に表示されている場合に、制御部１６は、表示領域１２又は１３に表示されたノートの一角に、表示領域１２又は１３に表示されたノートの頁と関連するテキストの頁を小さく表示させてもよい。このテキストの頁をユーザがクリックすることにより、制御部１６は、その頁を表示領域１２又は１３のいずれかに表示させる。これにより、ユーザは容易に、表示されたノートの頁と対応するテキストの頁を参照することができる。
【０１４８】
なお、上述の表示においては、制御部１６は、頁そのものを小さく表示領域に表示させるのではなく、頁番号等により、テキスト又はノートと関連する頁を示してもよい。ユーザがその頁番号等をタッチすることにより、制御部１６は、その関連する頁を表示領域１２又は１３のいずれかに表示させる。
【０１４９】
さらに、タブレット端末１０は、ユーザから見て横長の状態から縦長の状態にすることにより、ノート又はテキストの１頁を、表示領域１２、１３に表示させることができる。図１６Ａ、図１６Ｂは、テキスト又はノートのいずれか一方のみを表示した場合の、タブレット端末表示の一例を示した第１、第２のイメージ図である。図１６Ａでは、表示領域１２及び１３にテキストの頁１全体が表示されている。ここで、タブレット端末１０にはノートは表示されていない。図１６Ｂでは、表示領域１２及び１３にノートの頁１全体が表示されている。ここで、タブレット端末１０にはテキストは表示されていない。
【０１５０】
ユーザは、タブレット端末１０にテキストとノートの両方が表示されている初期状態（図９Ａ））から、タブレット端末１０を横向きにすることにより、図１６Ａ又は図１６Ｂの状態にすることができる。ユーザは、テキストだけを見たい場合、あるいはノートに書き込みだけをしたい場合に、それぞれ図１６Ａ、図１６Ｂに示した状態にすることができる。制御部１６は、上述と同様、加速度センサ等により操作を検出することによって、表示領域１２及び１３の表示を制御する。
【０１５１】
なお、タブレット端末１０を横向きにしたときにテキスト又はノートのいずれをタブレット端末１０に表示させるかは、回し方に応じて決定することができる。例えば、図９Ａの状態から、ユーザがタブレット端末１０を右回りに１／４回転させた場合（ユーザが表示領域１２よりも表示領域１３を手前に置いた場合）には、制御部１６はその動作を検出して、表示領域１２、１３を図１６Ａのように表示する。逆に、図９Ａの状態から、ユーザがタブレット端末１０を左回りに１／４回転させた場合（ユーザが表示領域１３よりも表示領域１２を手前に置いた場合）には、制御部１６はその動作を検出して、表示領域１２、１３を図１６Ｂのように表示する。もちろん、この表示の仕方は逆でもよい。
【０１５２】
実施の形態２〜４では、二画面のタブレット端末に表示される画像を例に説明したが、実施の形態２〜４にかかる画面表示の方法は他の種類の機器にも適用できる。例えば、１つのタッチパネルのディスプレイを有する携帯端末において、その制御部はタッチパネルの第１の表示領域にテキストの頁を表示し、タッチパネルの第１の表示領域とは別の第２の表示領域にノートの頁を表示することにより、上述と同様の処理を実現することができる。
【０１５３】
表示対象とする頁がタブレット端末の画面のどの位置にある場合でも、実施の形態２と同様の処理を実行することにより、ユーザはテキスト又はノートの改頁を実行することができる。また、テキストにおける改頁の操作は、テキストの表示されている領域以外の画面領域、又はタブレット端末に付属されたボタンにおいて、ユーザが操作を行うことによっても実行することができる。これはノートにおける改頁においても同様である。
【０１５４】
実施の形態２〜４では、ユーザが指先のフリック動作を実行することにより、テキスト文書又はノートの頁を変更する例について説明した。しかし、テキスト文書又はノートの頁を変更する方法については、このやり方に限られない。例えば、ユーザは、表示領域１２又は１３の端をタッピングしたり、又は端を２本もしくは３本の指で触れたりすることにより、表示領域１２又は１３に表示されるテキスト文書又はノートの頁を変更してもよい。さらに、ユーザは、タッチパネル１１に表示されたアイコンをクリックしたり、タブレット端末に設けられたボタンを操作したりすることにより、テキスト文書又はノートの頁を変更してもよい。制御部１６は、このような操作を検出することにより、実施の形態２〜４と同様に、テキスト文書又はノートの頁を変更することができる。
【０１５５】
実施の形態１〜４では、表示領域が２つ（テキストとノート）である例で説明したが、画像表示装置において表示領域は、２つでなくても３つ以上でもよい（つまり複数であればよい）。この場合、例えば、画像表示装置においてテキストのページを表示する表示領域は１つで、ノートのページを表示する表示領域は２つであってもよい。画像表示装置においてノートのページが複数ある場合には、一回の改ページ操作で前ページが改ページされるよう制御部が制御してもよいし、１ページずつスライドするように表示を切り替えるよう、制御部が制御してもよい。
【０１５６】
実施の形態１〜４では、画像表示装置は画面と一体となっているが、画像表示装置は画面と入力機能（タッチパネル）だけを備え、制御部は画像表示装置の外部にあってもよい。
【０１５７】
実施の形態１〜４に示した処理は、制御方法の１つとして、画像表示処理装置に実行させることができる。例えば、実施の形態１〜４に示した処理のフローを、制御プログラムとして画像表示処理装置に実行させてもよい。
【０１５８】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１５９】
１  画像表示装置
２  画面
３、４  表示領域
５  入力情報記憶部
６  管理情報記憶部
７  制御部
１０  タブレット端末
１１  画面
１２、１３  表示領域
１４  ノート記憶部
１５  テーブル格納部
１６  制御部
１７  メモ記憶部
１８  テキスト記憶部
【図１】
2014157538.tif 000005
【図２】
2014157538.tif 000006
【図３】
2014157538.tif 000007
【図４】
2014157538.tif 000008
【図５】
2014157538.tif 000009
【図６Ａ】
2014157538.tif 000010
【図６Ｂ】
2014157538.tif 000011
【図７Ａ】
2014157538.tif 000012
【図７Ｂ】
2014157538.tif 000013
【図８】
2014157538.tif 000014
【図９Ａ】
2014157538.tif 000015
【図９Ｂ】
2014157538.tif 000016
【図１０】
2014157538.tif 000017
【図１１】
2014157538.tif 000018
【図１２Ａ】
2014157538.tif 000019
【図１２Ｂ】
2014157538.tif 000020
【図１３】
2014157538.tif 000021
【図１４】
2014157538.tif 000022
【図１５Ａ】
2014157538.tif 000023
【図１５Ｂ】
2014157538.tif 000024
【図１６Ａ】
2014157538.tif 000025
【図１６Ｂ】
2014157538.tif 000026